(57)【要約】【課題】振動や衝撃で、容易に誤動作しないカード検知スイッチを備えるカード用コネクタを提供する。【解決手段】コネクタ１０は、ハウジング２とカバー３を備える。ハウジング２は、カード１が挿抜される凹部２１を有する。カバー３は、ハウジング２の凹部２１を覆う。カード検知スイッチ８は接触板８１と被接触板８２で構成され、凹部２１の開口２２に対向する対向壁２１ｃに配置される。接触板８１は、対向壁２１ｃに固定される基端部８１ａと、基端部８１ａから延びてカード１の先端縁に当接する屈曲片８１ｂを有する。被接触板８２は対向壁２１ｃに固定される基端部８２ａと、屈曲片８１ｂの先端に近接配置される接触部８２ｂを有する。カバー３は屈曲片８１ｂの動作を抑制する制動手段となる板ばね３１を有する。【選択図】図３
2008198444.tif 000002
【特許請求の範囲】
【請求項１】
略矩形に形成されたカードが挿抜される開口を形成する凹部を有する板状のハウジングと、この凹部を覆うカバーと、を備えるカード用コネクタであって、
前記凹部の開口に対向する対向壁に配置され、接触板と被接触板で構成されるカード検知スイッチを備え、
前記接触板は、前記対向壁に固定される基端部と、この基端部から延びて前記カードの先端縁に当接する屈曲片と、を有し、
前記被接触板は、前記対向壁に固定される基端部と、前記屈曲片の先端に近接配置される接触部と、を有し、
前記カバーは、前記屈曲片の動作を抑制する制動手段を有するカード用コネクタ。
【請求項２】
前記制動手段は、前記カバーから前記凹部の底面の対向壁側に向かって傾斜配置され、基端側が当該カバーに固定され、先端側が屈曲片の移動を抑制するように付勢する板ばねである請求項１記載のカード用コネクタ。
【請求項３】
前記カバーは、前記板ばねを一体成形している請求項２記載のカード用コネクタ。
【発明の詳細な説明】
【技術分野】
【０００１】
本発明は、カード用コネクタに関する。特に、本発明は、ＳＤ（Ｓｅｃｕｒｅ  Ｄｉｇｉｔａｌ）カードなどのメモリカードが挿入されたこと検知するスイッチを備えるカード用コネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、カメラ付き携帯電話やＰＤＡ（Ｐｅｒｓｏｎａｌ  Ｄｉｇｉｔａｌ  Ａｓｓｉｓｔａｎｃｅ）に代表される携帯型情報機器の記録メディアとして普及している。
【０００３】
フレキシブルディスク（ＦＤ）や光磁気ディスク（ＭＯ）などのディスク型の記憶装置に比較して、このメモリカードは記憶容量が小さく、又、高価であるとされてきた。しかし、近年の技術進歩やメモリカードを使用する機器の普及に伴う量産効果により、最大で１２８ＭＢ程度の大記憶容量となり、低価格となってきている。
【０００４】
更に、メモリカードは、データの読み書きにＦＤやＭＯなどのように駆動装置を必要としないというメリットがあるため、消費電力や携帯性が重要視されるデジタルカメラやノート型パソコン、携帯音楽プレーヤーには好適である。
【０００５】
このようなメモリカード用のコネクタとして、メモリカードがコネクタから不用意に飛び出すことを防止でき、又、より簡易な構成のロック機構を有するメモリカード用コネクタが発明されている（例えば、特許文献１参照）。
【０００６】
特許文献１のメモリカード用コネクタは、ハウジングにカバーが覆うように取り付けられている。カード保持部は、メモリカードが挿入されるカード挿入口を有している。メモリカードの面上接続端子と電気的に接触する複数のカンチレバーコンタクトは、カード挿入口に対向して配列されている。圧縮コイルばねは、揺動スライダを反挿入方向に付勢している。揺動スライダは、メモリカードの挿入側隅部に当接される第１爪と、メモリカードの側面に形成されている凹部に出入りする第２爪とを備えている。そして、揺動スライダは、ハート状のカム溝の軌跡に従動してメモリカードの凹部に係合、又は変位解除される。
【０００７】
又、特許文献１のメモリカード用コネクタは、カード保持部の一方の案内壁側にカード検知スイッチが設けられている。カード検知スイッチは、メモリカードが装着位置に在ることを電気的に検知する。カード検知スイッチは、接触板と被接触板で構成されている。
【０００８】
接触板の屈曲部は、一方の案内壁側から突出している。メモリカードが装着位置に在るときは、メモリカードの側面に押されて、接触板における屈曲部の先端が被接触板に当接する。すなわち、接触板と被接触板は電気的に接続状態となる。
【０００９】
メモリカードをカード用コネクタから抜去すると、接触板の屈曲部は復帰して接触板と被接触板は電気的に遮断状態となる。これら接触板と被接触板の終端は、このコネクタが実装されるプリント基板のカード検知回路に電気的に接続されている。
【特許文献１】特開２００５−７１６６６号公報
【発明の開示】
【発明が解決しようとする課題】
【００１０】
特許文献１によるカード用コネクタは、カード保持部の一方の案内壁側（側壁）から接触板の屈曲部が突出するように配置しているので、カードが排出されるときに、カードの姿勢が傾くということが懸念される。カードの挿入方向と対向するカード保持部の対向壁に、カードの先端縁と対向するように接触板の屈曲部を配置することにより、カードの姿勢が傾くという懸念が払拭される。
【００１１】
そして、カード検知スイッチをカード保持部の対向壁に配置することにより、弾性体である接触板がカードを排出することを援助できる。又、カード検知スイッチをカード保持部の対向壁に配置することにより、接触板の屈曲部が開角して、接触板の先端が被接触板を摺動する、いわゆるセルフクリーニングする摺動長を長くできるというメリットがある。
【００１２】
一般に、このようなカード検知スイッチは、接触板の先端（接点）が被接触板に近接するように配置されている。そして、カードを装着すると、直ちに接触板の先端が被接触板に接触して、カードの装着状態が検知される。
【００１３】
しかし、このようなカード検知スイッチをもつ電子機器に振動や衝撃が付加されると、カードが装着されていないにも係わらず、接触板の先端が被接触板に接触することがあり得る。いわゆる、誤検出の問題がある。
【００１４】
振動や衝撃で、接触板の先端が被接触板に容易に接触しないように、接触板の先端を被接触板から十分に離間して配置すると、カード用コネクタの挿入方向の外形が大きくなる。又、接触板の撓み量も大きくなり、接触板の寿命に影響を及ぼすことが懸念される。接触板の先端は被接触板に近接して配置されているが、振動や衝撃で、接触板の先端が被接触板に容易に接触しないカード検知スイッチを備えるカード用コネクタが求められる。そして、以上のことが本発明の課題といってよい。
【００１５】
本発明は、このような問題に鑑みてなされたものであり、振動や衝撃で、接触板の先端が被接触板に容易に接触しないカード検知スイッチを備えるカード用コネクタを提供することを目的とする。
【課題を解決するための手段】
【００１６】
発明者は、ハウジングとハウジングを覆うカバーとを備えるカード用コネクタであって、カード検知スイッチの接触板の動作を抑制する制動手段をカバーに設けることにより、接触板の不用意な動作が防止されることを見出し、これに基づいて、以下のような新たなカード検知スイッチを備えるカード用コネクタを発明するに至った。
【００１７】
（１）  略矩形に形成されたカードが挿抜される開口を形成する凹部を有する板状のハウジングと、この凹部を覆うカバーと、を備えるカード用コネクタであって、前記凹部の開口に対向する対向壁に配置され、接触板と被接触板で構成されるカード検知スイッチを備え、前記接触板は、前記対向壁に固定される基端部と、この基端部から延びて前記カードの先端縁に当接する屈曲片と、を有し、前記被接触板は、前記対向壁に固定される基端部と、前記屈曲片の先端に近接配置される接触部と、を有し、前記カバーは、前記屈曲片の動作を抑制する制動手段を有するカード用コネクタ。
【００１８】
（１）の発明によるカード用コネクタは、板状のハウジングとカバーを備えている。ハウジングは、略矩形に形成されたカードが挿抜される開口を形成する凹部を有している。カバーは、ハウジングの凹部を覆っている。又、（１）の発明によるカード用コネクタは、凹部の開口に対向する対向壁に配置されるカード検知スイッチを備えている。カード検知スイッチは、接触板と被接触板で構成されている。
【００１９】
接触板は、基端部と屈曲片を有している。接触板の基端部は、対向壁に固定される。屈曲片は、基端部から延びて、カードの先端縁に当接する。被接触板は、基端部と接触部を有している。被接触板の基端部は、対向壁に固定される。接触部は、屈曲片の先端に近接配置される。そして、カバーは、屈曲片の動作を抑制する制動手段を有している。
【００２０】
ここで、ハウジングは絶縁性を有している。絶縁性のハウジングとは、非導電性の材料からなるハウジングのことであってよく、合成樹脂を成形して、所望の形状の絶縁性のハウジングを得ることができる。
【００２１】
ハウジングは、対向する一対の側壁と、一対の側壁と直交してカードの先端縁と対向する対向壁を有し、一対の側壁と対向壁で囲われた薄直方体状の空間を「カードが挿抜される凹部」と規定できる。又、薄直方体状の空間をカード保持部とすることもできる。
【００２２】
例えば、このカード用コネクタは、ハウジングに対して進退可能なスライダを備えてよく、一方の側壁はスライダの側壁を利用し、他方の側壁をハウジングに形成してもよい。そして、この凹部がカバーで覆われることにより、対向壁と対向してカードが挿入される長方形の開口が形成される。ここで、対向する一対の側壁の距離は、カードの幅よりも僅かに広く、一対の側壁によりカードの姿勢（傾き）が規制される。
【００２３】
カバーは、金属薄板からなり、展開された金属薄板を成形加工することにより、所望の形状のカバーを得ることができる。カバーは、導電性の金属薄板からなることが好ましく、カバーがハウジングを覆うことによりシールド効果が得られる。
【００２４】
カバーは、両翼が直角に折り曲げ加工されてよく、これらの折り曲げ片に矩形穴を形成し、ハウジングの両側面に突出するランスに係止するようにしてもよい。又、プリント基板にはんだ接合されるリード部をカバーに設けてよく、プリント基板との接合強度を補強でき、カバーをプリント基板のグランドに接地することもできる。ここで、凹部と対向するカバーの面には、後述する制動手段となる板ばねを設けることができる。
【００２５】
凹部の対向壁には、カードが装着位置に在ることを電気的に検知するカード検知スイッチが配置される。カード検知スイッチは、接触板と被接触板で構成されてよく、カードが装着位置に在るときは、カードに押されて接触板が変位して接触板と被接触板とが電気的に接続状態となる。カードを抜去すると、接触板は復帰して接触板と被接触板は電気的に遮断状態となる。このようにカードの有無が検知される。
【００２６】
接触板及び被接触板の各基端部は、対向壁に圧入によりそれぞれ固定することができ、ハウジングと一体にモールディングすることにより、対向壁に固定することもできる。接触板及び被接触板は、展開された金属板を折り曲げ加工して成形してよく、所望の形状を得ることができる。接触板及び被接触板は、導電性の金属板が好ましく、例えば、銅合金などが適用されるが、銅合金に限定されない。
【００２７】
接触板は、ばねの働きが片持ち梁である弾性変形可能な板ばねであってよく、基端部から延びる屈曲片を有している。屈曲片は、Ｌ字状に形成されてよく、凹部の開口に向けて突出するように配置される。被接触板は、ばねの働きが片持ち梁である弾性変形可能な板ばねであってよく、基端部から延びて屈曲片の先端に近接配置される接触部を有している。被接触板は、Ｌ字状に形成されてよく、カードが挿入される方向と略直交する方向に配置してもよい。
【００２８】
カードを挿入すると、カードの先端縁が屈曲片の頂部に当接する。カードを更に挿入すると、接触板の基端部が固定支持されているので、屈曲片は曲げモーメントが作用して、屈曲片の先端が接触部に向かって変位する。屈曲片の先端は円弧状に湾曲形成されてよく、屈曲片の先端が接触部をセルフクリーニングすべく摺動する。カードの装着状態では、屈曲片の先端が接触部を所定圧力で付勢して、接触板と被接触板は電気的に接続状態となる。
【００２９】
カードを抜去すると、カードの先端縁は屈曲片の頂部から離反する。屈曲片の先端は、接触部から離間し、接触板と被接触板は電気的に遮断状態となる。接触板及び被接触板の各基端部は、リード部を設けてよく、各リード部は、このカード用コネクタが実装されるプリント基板の表面にはんだ接合できる。このカード用コネクタを備える電子機器は、カード検知回路を設けてよく、カード検知スイッチによるカード検知を電気的に確認できる。
【００３０】
（１）の発明によるカード用コネクタは、カード検知スイッチの接触板の動作を抑制する制動手段をカバーに設けることにより、振動や衝撃などによる接触板の不用意な動作が防止される。接触板の先端が被接触板の接触部に不用意に短絡することを防止できるということもできる。
【００３１】
（２）  前記制動手段は、前記カバーから前記凹部の底面の対向壁側に向かって傾斜配置され、基端側が当該カバーに固定され、先端側が屈曲片の移動を抑制するように付勢する板ばねである（１）記載のカード用コネクタ。
【００３２】
（２）の発明によるカード用コネクタは、制動手段となる板ばねの基端部が、カバーに固定されてよく、板ばねの先端側は、カバーから凹部の底面の対向壁側に向かって傾斜配置される。板ばねの先端側は、屈曲片の移動を抑制するように付勢している。
【００３３】
板ばねは、ばねの働きが片持ち梁である弾性変形可能な板片であってよく、カードを挿入すると、カードの先端縁に押されて、板ばねの先端側は、凹部の底面から離反する方向に移動（変形）する。カードが接触板に近接した状態では、板ばねの先端側は、屈曲片から離反しており、接触板は被接触板に接触できる。カードを抜去すると、板ばねの先端側は、凹部の底面に向かう方向に弾性復帰できる。
【００３４】
（２）の発明によるカード用コネクタは、接触板の屈曲片の動作を抑制する制動手段が、カードの挿抜の有無により、機能する板ばねとなっている。
【００３５】
（３）  前記カバーは、前記板ばねを一体成形している（２）記載のカード用コネクタ。
【００３６】
例えば、展開された金属薄板には、板ばねの基端部を除いて、この板ばねの輪郭が形成されるように、予め打ち抜き加工されてよく、次に、板ばねが折り曲げ加工されることにより、カバーは板ばねを一体成形できる。前記打ち抜き加工と前記折り曲げ加工が一括される複合金型を用いてもよい。
【００３７】
（３）の発明によるカード用コネクタは、接触板の屈曲片の動作を抑制する板ばねがカバーに一体成形されるので、カード用コネクタの製造原価を低減することに寄与できる。
【発明の効果】
【００３８】
本発明によるカード用コネクタは、カード検知スイッチの接触板の動作を抑制する制動手段をカバーに設けることにより、振動や衝撃などによる接触板の不用意な動作が防止される。接触板の先端が被接触板の接触部に不用意に短絡することを防止できるということもできる。
【発明を実施するための最良の形態】
【００３９】
以下、図面を参照して本発明を実施するための最良の形態を説明する。
【００４０】
図１は、本発明によるカード用コネクタ（以下、コネクタと略称する）の一実施形態を示す斜視分解組立図である。図２は、前記実施形態によるコネクタの斜視分解組立図であり、図１と異なる方向からコネクタを観ている。図３は、前記実施形態によるコネクタの平面図であり、カバーを取り外した状態図である。
【００４１】
図４は、前記実施形態によるコネクタに備わるスライダの斜視外観図であり、スライダを裏面から観ている。図５は、前記実施形態によるコネクタに備わるカバーの斜視外観図であり、カバーを裏面から観ている。図６は、前記実施形態によるコネクタの斜視外観図であり、カードが装着された状態図である。図７は、前記実施形態によるコネクタに備わるスライダの側面図である。
【００４２】
図８は、前記実施形態によるコネクタの要部を拡大した斜視外観図であり、カバーの一部を破断している。図９は、前記実施形態によるコネクタの要部を拡大した斜視外観図であり、スライダを断面で示している。図１０は、前記実施形態によるコネクタの要部平面図であり、スライダの一連の状態変化を示している。
【００４３】
図１１は、前記実施形態によるコネクタの縦平面図であり、カードが挿入された状態図である。図１２は、前記実施形態によるコネクタの縦平面図であり、図１１より更にカードが挿入された状態図である。図１３は、前記実施形態によるコネクタの縦平面図であり、カードが装着された状態図である。
【００４４】
最初に、本発明によるコネクタの構成を説明する。図１又は図２において、コネクタ１０は、板状のハウジング２とカバー３を備えている。ハウジング２は、カード１が挿抜される開口２２を形成する凹部２１を有している。カバー３は、ハウジング２の凹部２１を覆っている。ハウジング２は、絶縁性の合成樹脂材で矩形状に成形されている。カバー３は、金属板で形成され、両翼がＬ字状に折り曲げられている。
【００４５】
又、図１から図３において、コネクタ１０は、スライダ４、板ばね５、圧縮コイルばね６を備えている。スライダ４は、カード１の挿抜方向と平行する方向に進退するように、凹部２１の片翼に配置されている。又、スライダ４は、ハート型のカム溝４２を表面に形成している。板ばね５は、基端側がスライダ４に固定され、先端側が凹部２１の開口２２に向かって突出している。圧縮コイルばね６は、ハウジング２に保持され、スライダ４をカード１が排出される方向に力を付勢している。
【００４６】
更に、図１又は図２において、スライダ４は、凹部２１の片翼側から凹部２１に突出し、カード１の側面途上に形成された斜辺１ａに当接する係合片４１を有している。板ばね５は、カード１の斜辺１ａに隣接される略方形の凹部１ｂに表面側から出入りし、凹部１ｂに弾性をもって係止する半円弧爪５１を先端部に有している。
【００４７】
図１又は図２において、コネクタ１０は、ハウジング２にカバー３が取り付けられることにより、カード１が挿入される開口２２を形成し、薄直方体形状のカード保持部が形成される（図６参照）。そして、ハウジング２の凹部２１に８本のコンタクト７が並設配置されている。複数のコンタクト７は、カード１の表面に形成された複数の接続端子（図示せず）と一体一に電気的及び機械的に接触する。
【００４８】
図３において、コンタクト７は、ばねの働きが片持ち梁であるカンチレバーコンタクトであってよく、弾性アームと固定アームで構成される。弾性アームは、凹部２１の底面から突出して、カード１に形成された接続端子（図示せず）に接触する接点７１が設けられる（図１参照）。固定アームは、凹部２１に保持されている。又、リード部７２が固定アームの端部に形成され、リード部７２をプリント基板１ｐにはんだ接合することにより、コネクタ１０を表面実装用コネクタとすることができる（図２参照）。
【００４９】
図３において、ハウジング２は、対向する一対の側壁２１ａ・２１ｂと、一対の側壁２１ａ・２１ｂと直交してカード１の先端縁と対向する対向壁２１ｃを有している。一方の側壁２１ａは、実質的にスライダの側壁４１ａを利用している。一対の側壁４１ａ・２１ｂと対向壁２１ｃで囲われた薄直方体状の空間を凹部２１とすることができる。そして、凹部２１がカバー３で覆われることにより、対向壁２１ｃと対向してカード１が挿入される長方形の開口２２が形成される。対向する一対の側壁４１ａ・２１ｂの距離は、カード１の幅よりも僅かに広く、一対の側壁４１ａ・２１ｂによりカード１の姿勢が規制され、カード１の接続端子とコンタクト７とが正しく位置合わせできる。
【００５０】
図１又は図２において、カバー３は、両翼が直角に折り曲げ加工されている。これらの折り曲げ片には複数の矩形穴３ａが形成されている。複数の矩形穴３ａがハウジング２の両側面に突出するランス２ｒに係止することにより、カバー３が組み込まれる（図６参照）。又、カバー３には、プリント基板１ｐにはんだ接合されるリード部３ｒが設けられている（図２参照）。凹部２１と対向するカバー３の面３０には、後述する、板ばね３１及び板ばね３２が設けられている。
【００５１】
図１から図３において、凹部２１の一方の片翼には、スライダ４が配置されている。凹部２１の対向壁２１ｃには、カード１が装着位置に在ることを電気的に検知するカード検知スイッチ８が配置されている。カード検知スイッチ８は、接触板８１と被接触板８２で構成されている。カード１が装着位置に在るときは、カード１に押されて接触板８１が変位して、接触板８１と被接触板８２とが電気的に接続状態となる。カード１を抜去すると、接触板８１は復帰して、接触板８１と被接触板８２とは電気的に遮断状態となる。このようにカードの有無が検知される。
【００５２】
図３において、接触板８１は、対向壁２１ｃに固定される基端部８１ａと、基端部８１ａから延びてカード１の先端縁に当接する屈曲片８１ｂを有している。被接触板８２は、対向壁２１ｃに固定される基端部８２ａと、屈曲片８１ｂの先端に近接配置される接触部８２ｂを有している。そして、カバー３は、屈曲片８１ｂの動作を抑制する制動手段となる板ばね３１を有している（図１及び図２参照）。
【００５３】
図１から図３において、接触板８１及び被接触板８２の各基端部８１ａ・８２ａは、ハウジング２と一体にモールディングすることにより、対向壁２１ｃに固定されている。接触板８１及び被接触板８２は、展開された導電性の金属板が折り曲げ加工して成形されている。
【００５４】
図３において、接触板８１は、ばねの働きが片持ち梁である弾性変形可能な板ばねであって、基端部８１ａから延びる屈曲片８１ｂを有している。屈曲片８１ｂは、Ｌ字状に形成されており、凹部２１の開口２２に向けて突出するように配置されている。被接触板８２は、ばねの働きが片持ち梁である弾性変形可能な板ばねであってよく、基端部８２ａから延びて屈曲片８１ｂの先端に近接配置される接触部８２ｂを有している。被接触板８２は、Ｌ字状に形成されてよく、カード１が挿入される方向と略直交する方向に配置されている。
【００５５】
図３において、接触板８１及び被接触板８２の各基端部８１ａ・８２ａは、リード部８１ｒ・８２ｒを設けている。各リード部８１ｒ・８２ｒは、コネクタ１０が実装されるプリント基板１ｐの表面にはんだ接合できる（図１参照）。
【００５６】
図１又は図２において、ハウジング２の片翼には、スライダ４を移動可能に案内する溝２３が設けられている。スライダ４は、溝２３に規制されてカード１の挿抜方向と平行する方向に進退できる。スライダ４は、進退する直線運動のみが許容される。
【００５７】
図４に示されるように、スライダ４には、溝２３と平行に突出する第１円柱突起４ａが形成されている（図１又は図２参照）。一方、ハウジング２には、第１円柱突起４ａに対向し、溝２３と平行に突出する第２円柱突起２ａが形成されている（図１又は図２参照）。図３に示されるように、圧縮コイルばね６の両コイル端部を第１及び第２円柱突起４ａ・２ａ間に装架することにより、スライダ４をカード１が排出される方向に力を付勢することができる（図１又は図２参照）。カード１が挿入されない状態では、スライダ４は圧縮コイルばね６に付勢されて、凹部２１の開口２２側に停止している（図３参照）。
【００５８】
図１又は図２に示されるように、ハウジング２には、溝２３と、溝２３に連通する通路２４を有している。溝２３は、スライダ４を移動可能に案内する。通路２４は、板ばね５の先端縁が近接して移動する（図８及び図９参照）。そして、通路２４の底面は、凹部２１の開口側から奥側に向かう途上まで開口される矩形の開口２５を有し、この途上から終端に至るまでは封鎖されている。
【００５９】
図１又は図２に示されるように、溝２３は、略長方形に開口されて、ハウジング２の平面の一部が陥没するように形成されている。溝２３にスライダ４が進退可能に収納されている（図３参照）。ハウジング２の凹部２１の底面が段差となって、溝２３の一方の側面が形成されている。溝２３の一方の側面に沿って、係合片４１が移動する。通路２４は、凹部２１の一部を含み、凹部２１の底面から陥没した方形の通路２４が形成される。通路２４は、溝２３と平行に形成されており、一端は凹部２１の開口２２に連通し、他端は溝２３に連通している。
【００６０】
図５において、接触板８１の屈曲片８１ｂの動作を抑制する制動手段となる板ばね３１が、カバー３に設けられている（図１１参照）。板ばね３１の基端部は、カバー３に固定されている。板ばね３１の先端側は、カバー３から凹部２１の底面の対向壁２１ｃ側に向かって傾斜配置されている。板ばね３１の先端側は、屈曲片８１ｂの移動を抑制するように付勢している（図１１参照）。
【００６１】
図５において、板ばね３２の基端部は、カバー３に固定されている。板ばね３２の先端部３２ａは、僅かに突出しており、スライダ４の表面に穿設されたハート型のカム溝４２に連結する（図１又は図２参照）。板ばね３２の先端部３２ａは、ハート型のカム溝４２に従動できる。板ばね３２は、ばねの働きが片持ち梁であってよく、板ばね３２の先端部３２ａがハート型のカム溝４２に従動することにより、曲げモーメントが作用して弾性変形する。
【００６２】
図５において、カバー３は、二つの板ばね３１・３２を一体成形している。例えば、カバー３は、展開された金属薄板が成形される。この展開された金属薄板は、板ばね３１及び板ばね３２の基端部を除いて、板ばね３１及び板ばね３２の輪郭が形成されるように、予め打ち抜き加工される。次に、板ばね３１及び板ばね３２が折り曲げ加工されることにより、カバー３は、板ばね３１及び板ばね３２を一体成形できる。この打ち抜き加工と折り曲げ加工とが一括される複合金型を用いて、カバー３を成形してもよい。
【００６３】
図１又は図２において、スライダ４と板ばね３２とは、カムと従動節が相対変位するカム装置を構成している。カム溝４２は、ハート型の軌跡を描く平面曲線となっており（図３参照）、カム溝４２の底面は平坦に形成されている。カバー３に設けられた板ばね３２の先端部３２ａは、ハート型のカム溝４２の軌跡に従動して、揺動するように弾性変形する。（図５参照）。ここで、スライダ４と板ばね３２とで構成されるカム装置は、スライダ４の停止位置を規定できる。
【００６４】
図３において、ハート型のカム溝４２は、始点Ａ１からの行き行程の軌跡と、始点Ａ１に戻る帰り行程の軌跡と、を描いている。ハート型のカム溝４２の軌跡は、板ばね３２の先端部３２ａが部分的に逆行することはあっても、全行程において板ばね３２の先端部３２ａが逆行しない不可逆の連続軌跡を描いている。そして、ハート型のカム溝４２は、行き行程の軌跡と帰り行程の軌跡の分岐点に、Ｖ字状に陥没するＶ字溝Ａ２が形成されている。
【００６５】
図２又は図７に示されるように、板ばね５は、基端側がスライダ４に圧入されて固定されている。そして、板ばね５の先端側が凹部２１の開口２２に向かって突出するように配置されている（図３参照）。板ばね５とスライダ４とは、一体となって進退する。板ばね５は、ばねの働きが片持ち梁であってよく、板ばね５の先端部に形成された半円弧爪５１に荷重が作用することにより、弾性変形する。
【００６６】
図１又は図２に示されるように、カード１は、略矩形に形成されており、接続端子（図示せず）が配置される先端側は、基端側より幅が狭くなっている。カード１の先端側は、平行する両側面の内、一方の側面が鈍角に開角された斜辺１ａを形成し、基端側に平行する両側面の内の一方の側面に連続している。カード１の先端側は、一方の隅部が片刃状に切り欠かれた形状となっている。又、略方形の凹部１ｂがカード１の斜辺１ａに隣接されている。
【００６７】
次に、本発明によるコネクタの動作及び作用を説明する。図１又は図２に示された状態から、カード１を凹部２１に挿入すると、カード１の斜辺１ａが半円弧爪５１に当接する（図８参照）。更に、カード１を挿入すると、半円弧爪５１は斜辺１ａとスライドしつつ、押し下げられる。そして、斜辺１ａが係合片４１の先端縁に当接した状態では、半円弧爪５１はカード１の表面をスライドして、カード１の凹部１ｂに突出する（図８参照）。なお、係合片４１の先端縁は、カード１の斜辺１ａと同じ勾配をもつ斜面が形成されている。続いて、カード１を押すと、スライダ４は凹部２１の奥方向に移動する（図３参照）。
【００６８】
図６において、カード１を押し切って、若干戻った状態で、板ばね３２の先端部３２ａがＶ字溝Ａ２に係止して、カード１の装着位置で、スライダ４がハウジング２にロックされる（図１０（Ｄ）参照）。図１０（Ｄ）に示されるカード１の装着位置では、板ばね５の先端部にある半円弧爪５１がカード１の凹部１ｂに弾性をもって係止しているので、カード１の装着状態を確実に維持できる（図９参照）。
【００６９】
図９に示されるカード１の装着状態から、カード１を一旦押すと、板ばね３２の先端部３２ａはＶ字溝Ａ２から解放されて、帰り行程に移動する（図１０（Ｅ）参照）。そして、圧縮コイルばね６に付勢されて、スライダ４は、カード１を凹部２１の開口２２側に移動させる。板ばね３２の先端部３２ａがハート型のカム溝４２の始点Ａ１に相対的に戻った時点で、スライダ４が停止する（図３参照）。ここで、カード１には、慣性力が作用するが、半円弧爪５１がカード１の凹部１ｂに弾性をもって係止しているので、カード１の不用意な飛び出しを確実に防止できる。そして、カード１を比較的強い力で引く抜くことによりカード１をコネクタ１０から離脱できる。
【００７０】
次に、ハート状のカム溝４２を有するスライダ４と、板ばね３２の先端部３２ａとの相対運動を図１０により説明する。
【００７１】
図１０（Ａ）は、カード１がコネクタ１０に装着される前の状態図であり、板ばね３２の先端部３２ａは、ハート型のカム溝４２の始点Ａ１に位置している。図１０（Ｂ）は、カード１がコネクタ１０に挿入されて、スライダ４が移動途上の状態図であり、板ばね３２の先端部３２ａは、ハート型のカム溝４２の一方の斜面に当接している。
【００７２】
図１０（Ｃ）は、カード１を更に挿入した状態図であり、板ばね３２の先端部３２ａは、ハート型のカム溝４２の一方の斜面に沿って変位している。図１０（Ｃ）に示された状態図では、板ばね３２は最大に撓んでいる。図１０（Ｄ）は、カード１を押し切って、若干戻った状態図であり、板ばね３２は弾性復帰して、板ばね３２の先端部３２ａがＶ字溝Ａ２に係止できる。すなわち、カード１の装着状態をロック（維持）できる。なお、このロック状態は、圧縮コイルばね６が援助すべく作用している（図３参照）。
【００７３】
図１０（Ｅ）は、カード１の装着状態から、カード１を一旦押すことにより、板ばね３２の先端部３２ａがＶ字溝Ａ２から解放された状態図である。図１０（Ｄ）の状態図では、板ばね３２の先端部３２ａは、ハート型のカム溝４２の帰り行程に弾性復帰する余力を残している。板ばね３２の先端部３２ａがＶ字溝Ａ２から解放されることにより、板ばね３２の先端部３２ａは、ハート型のカム溝４２の帰り行程に移動する。なお、図１０（Ｅ）の状態では、板ばね３２は弾性変形していない。
【００７４】
図１０（Ｆ）は、圧縮コイルばね６に付勢されて、スライダ４が復帰途上の状態図である。板ばね３２の先端部３２ａは、ハート型のカム溝４２の他方の斜面に沿って変位している。板ばね３２は、ハート型のカム溝４２の他方の斜面に沿って弾性変形している。図１０（Ｇ）は、板ばね３２の先端部３２ａがハート型のカム溝４２に沿って、始点Ａ１に相対的に戻った状態図である。図１０（Ｇ）の状態では、スライダ４は圧縮コイルばね６に付勢されて、停止している。板ばね３２は弾性復帰して、図１０（Ａ）の状態と同じの初期の状態に戻っている。
【００７５】
このように、スライダ４と板ばね３２とは、カムと従動節が相対変位するカム装置を構成している。又、ハート型のカム溝４２の軌跡は、全行程において板ばね３２の先端部３２ａが逆行しない不可逆の連続軌跡を描いている。
【００７６】
本発明によるカード用コネクタは、スライダに半円弧爪を有する板ばね片を設け、この半円弧爪がカードに形成された方形の凹部に嵌合することにより、カードの不用意な飛び出しをより確実に防止でき、かつ、カードの装着状態を確実に維持できる。カードの制動（ブレーキ）手段として、金属体の板ばねを用いているので、耐摩耗性に優れている。
【００７７】
又、図９に示されるように、通路２４の底面は、凹部２１の開口２２側から奥側に向かう途上まで開口され、この途上から終端に至るまでは封鎖されている。図９において、通路２４の底面が開口されることにより、半円弧爪５１の先端縁が開口２５に向けて撓みことができる。一方、通路２４の底面が封鎖されることにより、半円弧爪５１の先端縁が通路２４の底面に当接して、撓み困難である。
【００７８】
本発明によるコネクタは、このように、板ばねの先端縁が近接して移動する通路が構成されているので、カードの装着状態では、半円弧爪が容易に撓むことなく、カードを確実に保持する。一方、カードを排出するときは、前述のとおり、カードの飛び出しをより確実に防止でき、カードの装着状態と比較して弱い力で、カードを引き抜くことができる。
【００７９】
又、本発明によるカード用コネクタは、ハート型のカム溝に連結する板ばねがカバーに一体成形されるので、カード用コネクタの製造原価を低減することに寄与できる。
【００８０】
実施の形態において、本発明によるコネクタは、ｍｉｃｒｏＳＤカードが挿抜されるカード用コネクタを開示したが、ｍｉｃｒｏＳＤカードに限定されることなく、斜辺と凹部を有するカード物にも応用できる。又、本発明によるコネクタは、プリント基板の表面にはんだ接合される表面実装用コネクタであってよく、スライダの表面にハート型のカム溝が形成されているので、実装高さを低く（低背化）できる。更に、本発明によるコネクタは、構成品を少なくしており、製造原価の低減に寄与できる。
【００８１】
本発明によるコネクタ１０は、図１１に示されるように、板ばね３１の先端側が接触板８１の屈曲片８１ｂを付勢しているので、接触板８１の動作が抑制される。振動や衝撃などによる接触板８１の不用意な動作が防止される（図３及び図６参照）。接触板８１の先端が被接触板８２の接触部８２ｂに不用意に短絡することを防止できる（図３参照）。
【００８２】
図３において、カード１を凹部２１に挿入すると、カード１の先端縁が屈曲片８１ｂの頂部に当接する（図１、図２、及び図１３参照）。カード１を更に挿入すると、接触板８１の基端部８１ａが固定支持されているので、屈曲片８１ｂは曲げモーメントが作用して、屈曲片８１ｂの先端が接触部に向かって変位する。屈曲片８１ｂの先端は円弧状に湾曲形成されており、屈曲片８１ｂの先端が接触部８２ｂをセルフクリーニングすべく摺動する。カード１の装着状態では、屈曲片８１ｂの先端が接触部８２ｂを所定圧力で付勢して、接触板８１と被接触板８２は電気的に接続状態となる。
【００８３】
図３において、カード１を抜去すると、カード１の先端縁は屈曲片８１ｂの頂部から離反する。屈曲片８１ｂの先端は、接触部８２ｂから離間し、接触板８１と被接触板８２は電気的に遮断状態となる。
【００８４】
図１２において、カード１を凹部２１挿入すると、カード１の先端縁に押されて、板ばね３１の先端側は、凹部２１の底面から離反する方向に変形する。図１３において、カード１が接触板８１に近接した状態では、板ばね３１の先端側は、屈曲片８１ｂから離反しており、接触板８１は被接触板８２に接触できる（図３参照）。カード１を抜去すると、板ばね３１の先端側は、凹部２１の底面に向かう方向に弾性復帰できる（図１１参照）。
【００８５】
このように、本発明によるカード用コネクタは、接触板の屈曲片の動作を抑制する制動手段が、カードの挿抜の有無により、機能する板ばねとなっている。
【００８６】
本発明によるカード用コネクタは、カード検知スイッチの接触板の動作を抑制する制動手段をカバーに設けることにより、振動や衝撃などによる接触板の不用意な動作が防止される。接触板の先端が被接触板の接触部に不用意に短絡することを防止できる。
【図面の簡単な説明】
【００８７】
【図１】本発明によるカード用コネクタの一実施形態を示す斜視分解組立図である。
【図２】前記実施形態によるカード用コネクタの斜視分解組立図であり、図１と異なる方向からコネクタを観ている。
【図３】前記実施形態によるカード用コネクタの平面図であり、カバーを取り外した状態図である。
【図４】前記実施形態によるカード用コネクタに備わるスライダの斜視外観図であり、スライダを裏面から観ている。
【図５】前記実施形態によるカード用コネクタに備わるカバーの斜視外観図であり、カバーを裏面から観ている。
【図６】前記実施形態によるカード用コネクタの斜視外観図であり、カードが装着された状態図である。
【図７】前記実施形態によるカード用コネクタのスライダの側面図である。
【図８】前記実施形態によるカード用コネクタの要部を拡大した斜視外観図であり、カバーの一部を破断している。
【図９】前記実施形態によるカード用コネクタの要部を拡大した斜視外観図であり、スライダを断面で示している。
【図１０】前記実施形態によるカード用コネクタの要部平面図であり、スライダの一連の状態変化を示している。
【図１１】前記実施形態によるカード用コネクタの縦平面図であり、カードが挿入された状態図である。
【図１２】前記実施形態によるカード用コネクタの縦平面図であり、図１１より更にカードが挿入された状態図である。
【図１３】前記実施形態によるカード用コネクタの縦平面図であり、カードが装着された状態図である。
【符号の説明】
【００８８】
１  カード
２  ハウジング
３  カバー
１０  コネクタ（カード用コネクタ）
２１  凹部
２１ｃ  対向壁
２２  開口
３１  板ばね（制動手段）
８１  接触板
８１ａ  基端部（接触板の基端部）
８１ｂ  屈曲片
８２  被接触板
８２ａ  基端部（被接触板の基端部）
８２ｂ  接触部
【図１】
2008198444.tif 000003
【図２】
2008198444.tif 000004
【図３】
2008198444.tif 000005
【図４】
2008198444.tif 000006
【図５】
2008198444.tif 000007
【図６】
2008198444.tif 000008
【図７】
2008198444.tif 000009
【図８】
2008198444.tif 000010
【図９】
2008198444.tif 000011
【図１０】
2008198444.tif 000012
【図１１】
2008198444.tif 000013
【図１２】
2008198444.tif 000014
【図１３】
2008198444.tif 000015